(57)【特許請求の範囲】
【請求項１】
底部と該底部の相対する底部長側壁にヒンジ連結された長側壁と前記底部の相対する底部短側壁にヒンジ連結された短側壁とからなる折り畳みコンテナーの前記底部の裏面に形成された嵌合部には、長側壁が当接するように並設された、組み立てられた状態の小型折り畳みコンテナーの上に、前記折り畳みコンテナーが段積みされた際に、前記小型折り畳みコンテナーの長側壁の上端部が挿入される凹溝が、前記底部短側壁に沿って形成されている折り畳みコンテナーにおいて、該折り畳みコンテナーの底部を構成する底部長側壁の高さが、前記底部を構成する底部短側壁の高さより高く形成されているとともに、前記底部長側壁の上面には、前記嵌合部に形成された凹溝に対応して、補強ブロックが立設されており、且つ、前記補強ブロックの前記底部長側壁に沿った長さが、少なくとも、前記凹溝の幅より長く形成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図５に示されているように、平面形状が略長方形に形成された合成樹脂で一体に成形された底部１の相対する長辺に、ヒンジ部を介して連結された、同じく合成樹脂で一体に成形された長側壁２と、底部１の相対する短辺に、ヒンジ部を介して連結された、同じく合成樹脂で一体に成形された短側壁３とからなる折り畳みコンテナー（以下、大型折り畳みコンテナーという。）Ｃ１が知られており、また、上記の底部１より小さな、平面形状が略長方形に形成された合成樹脂で一体に成形された底部１０の相対する長辺に、ヒンジ部を介して連結された、上記の短側壁３と略同じ長さを有する、同じく合成樹脂で一体に成形された長側壁２０と、底部１０の相対する短辺に、ヒンジ部を介して連結された、上記の長側壁２の長さの略半分の長さを有する、同じく合成樹脂で一体に成形された短側壁３０とからなる折り畳みコンテナー（以下、小型折り畳みコンテナーという。）Ｃ１０が知られている。
【０００３】
大型折り畳みコンテナーＣ１及び小型折り畳みコンテナーＣ１０は、共に、図５に示されている箱型に組み立てられた状態から、短側壁３、３０を内側に倒して、底部１、１０の上に重ね、次いで、同じく、長側壁２、２０を内側に倒して、底部１、１０及び短側壁３、３０の上に重ねることにより折り畳まれるように構成されている。
【０００４】
組み立てられた状態の大型折り畳みコンテナーＣ１の長側２及び短側壁３の上端部の内側角部には、それぞれ、切り欠き段部２ａ、３ａが形成されており、同様に、組み立てられた状態の小型折り畳みコンテナーＣ１０の長側壁２０及び短側壁３０の上端部の内側角部にも、それぞれ、切り欠き段部２０ａ、３０ａが形成されている。また、大型折り畳みコンテナーＣ１の底部１の裏面には、段積みした際に、下に位置する組み立てられた状態の大型折り畳みコンテナーＣ１の長側壁２の切り欠き段部２ａ及び短側壁３の切り欠き段部３ａに嵌合される後述する嵌合部が、底部１の周壁１ａの下端１ａ’を越えて下方に延在するように形成されている。小型折り畳みコンテナーＣ１０の底部１０の裏面にも、同様の嵌合部が、底部１０の周壁１０ａの下端１０ａ’を越えて下方に延在するように形成されている。
【０００５】
なお、大型折り畳みコンテナーＣ１の底部１の長辺側の側壁（以下、底部長側壁という。）１ｂの高さは、短辺側の側壁（以下、底部短側壁という。）１ｃの高さより高く形成されており、同様に、小型折り畳みコンテナーＣ１０の底部１０の長辺側の側壁（以下、底部長側壁という。）１０ｂの高さも、短辺側の側壁（以下、底部短側壁という。）１０ｃの高さより高く形成されている。
【０００６】
大型折り畳みコンテナーＣ１の裏面斜視図である図６に示されているように、底部１の裏面には、大型折り畳みコンテナーＣ１同士を段積みした際に、下に位置する組み立てられた状態の大型折り畳みコンテナーＣ１の長側壁２の切り欠き段部２ａ及び短側壁３の切り欠き段部３ａに嵌合される嵌合部１ｄが形成されており、嵌合部１ｄは、底部１の周壁１ａの下端１ａ’を越えて下方に延在するように構成されている。また、大型折り畳みコンテナーＣ１の底部１の裏面に突設された嵌合部１ｄの底部短側壁１ｃに平行な中央領域には、図５に示されているように、長側壁２０が当接するように配置された２個の小型折り畳みコンテナーＣ１０の上に、大型折り畳みコンテナーＣ１を段積みした際に、当接した２個の小型折り畳みコンテナーＣ１０の長側壁２０の上端部が挿入される凹溝１ｅが形成されており、従って、嵌合部１ｄは、凹溝１ｅを挟んで、２個の嵌合部分１ｄ’により構成されていることになる。そして、図５に示されているように、長側壁２０が当接するように配置された２個の小型折り畳みコンテナーＣ１０の上に、大型折り畳みコンテナーＣ１を段積みした際には、下に位置する２個の小型折り畳みコンテナーＣ１０の開口に、上に位置する大型折り畳みコンテナーＣ１の底部１の裏面に形成された２個の嵌合部分１ｄ’が、それぞれ、嵌合するように構成されている。なお、嵌合部１ｄの裏面には、必要に応じて、交叉リブ１ｆが形成されている。
【０００７】
【発明が解決しようとする課題】
従来の大型折り畳みコンテナーＣ１の底部１の裏面に形成された嵌合部１ｄには、上述したように、凹溝１ｅが形成されているので、底部１の強度が弱く、従って、大型折り畳みコンテナーＣ１全体の強度や耐久性能が落ちるという問題があった。
【０００８】
本発明の目的は、上述した従来の折り畳みコンテナーが有する課題を解決することにある。
【０００９】
【課題を解決するための手段】
本発明は、上述した目的を達成するために、底部と該底部の相対する底部長側壁にヒンジ連結された長側壁と前記底部の相対する底部短側壁にヒンジ連結された短側壁とからなる折り畳みコンテナーの前記底部の裏面に形成された嵌合部には、長側壁が当接するように並設された、組み立てられた状態の小型折り畳みコンテナーの上に、前記折り畳みコンテナーが段積みされた際に、前記小型折り畳みコンテナーの長側壁の上端部が挿入される凹溝が、前記底部短側壁に沿って形成されている折り畳みコンテナーにおいて、前記折り畳みコンテナーの底部を構成する底部長側壁の高さが、前記底部を構成する底部短側壁の高さより高く形成されているとともに、前記底部長側壁の上面には、前記嵌合部に形成された凹溝に対応して、補強ブロックが立設されており、且つ、前記補強ブロックの前記底部長側壁に沿った長さを、少なくとも、前記凹溝の幅より長く形成したものである。
【００１０】
【実施例】
以下に、本発明の実施例について説明するが、本発明の趣旨を越えない限り何ら、本実施例に限定されるものでない。なお、上述した従来の大型折り畳みコンテナーと同じ構成部材については、同じ符号が使用されており、また、その詳細な説明は省略する。
【００１１】
本実施例の大型折り畳みコンテナーＣ１も、同様に、平面形状が略長方形に形成された合成樹脂で一体成形された底部１の相対する長辺に、ヒンジ部を介して連結された、同じく合成樹脂で一体成形された長側壁２と、底部１の相対する短辺に、ヒンジ部を介して連結された、同じく合成樹脂で一体成形された短側壁３とから形成されている。そして、図１に示されている組み立てられた状態の大型折り畳みコンテナーＣ１は、図２に示されているように、短側壁３を内側に倒して、底部１の上に重ね、次いで、長側壁２を内側に倒して、底部１及び短側壁３の上に重ねることにより、図３に示されているように、折り畳まれるように構成されている。
【００１２】
本実施例においては、大型折り畳みコンテナーＣ１の底部１の裏面に突設された嵌合部１ｄに形成された凹溝１ｅの位置に対応した底部長側壁１ｂの上面には、換言すれば、凹溝１ｅの両端部１ｅ’と対向する底部長側壁１ｂの上面には、補強ブロック１ｇが形成されている。この補強ブロック１ｇの底部長側壁１ｂに沿った長さＬは、少なくとも、凹溝１ｅの幅Ｗより長く形成されている。このように、底部１の裏面に突設された嵌合部１ｄに形成された凹溝１ｅに位置に対応して、底部長側壁１ｂの上面に、補強ブロック１ｇを立設することにより、底部１が補強されるので、底部１の強度や剛性が増加し、ひいては、大型折り畳みコンテナーＣ１の強度や剛性が増加し、大型折り畳みコンテナーＣ１の耐久性能が向上する。
【００１３】
また、大型折り畳みコンテナーＣ１の長側壁２には、長側壁２を、底部１に対して垂直に立てた際に、長側壁２の下端部が、補強ブロック１ｇに当接しないように、長側壁２の下端部の中央部に、凹部１ｈが形成されている。
【００１４】
なお、４は、必要に応じて、底部長側壁１ｂの両端部に形成された、内側に向いた切り欠き段部４ａを有する端部係合ブロックである。そして、折り畳んだ状態の大型折り畳みコンテナーＣ１同士を段積みした際には、下に位置する折り畳んだ状態の大型折り畳みコンテナーＣ１の底部１に形成された端部係合ブロック４の切り欠き段部４ａに、上に位置する折り畳んだ状態の大型折り畳みコンテナーＣ１の底部１の裏面に形成された嵌合部１ｄが嵌合され、端部係合ブロック４の上面４ｂには、底部１の周壁１ａの下端１ａ’、換言すれば、底部長側壁１ｂの下端及び底部短側壁１ｃの下端が載置されるように構成されている。このような端部係合ブロック４が形成されている場合には、折り畳んだ状態の大型折り畳みコンテナーＣ１同士を段積みした際に、補強ブロック１ｇが、段積み作業の邪魔にならないように、補強ブロック１ｇの上面１ｇ’の高さを、端部係合ブロック４の上面４ｂの高さと、略同じにすることが好ましい。
【００１５】
上述した実施例には、組み立てられた状態の小型折り畳みコンテナーＣ１０が、２個並設された上に、大型折り畳みコンテナーＣ１を段積みした例が示されているが、下に配置される小型折り畳みコンテナーＣ１０は、３個でもよく、３個の場合には、大型折り畳みコンテナーＣ１の底部１の裏面に突設された嵌合部１ｄに形成される凹溝１ｅの数は、２本であり、同様に、下に配置される小型折り畳みコンテナーＣ１０が、４個以上の場合には、上記の凹溝１ｅの数は、３本以上となる。
【００１６】
【発明の効果】
本発明は、以上説明した構成を有しているので、以下に記載する効果を奏するものである。
【００１７】
折り畳みコンテナーの底部側壁に、嵌合部に形成された凹溝に対応して、補強ブロックが立設されているので、底部の強度や剛性が増加し、ひいては、折り畳みコンテナーの強度や剛性が増加し、折り畳みコンテナーの耐久性能が向上する。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は折り畳まれた状態の本発明の折り畳みコンテナーの裏面斜視図である。
【図５】図５は２つの小型折り畳みコンテナーと従来の折り畳みコンテナーとの段積みを説明するための斜視図である。
【図６】図６は折り畳まれた状態の従来の折り畳みコンテナーの裏面斜視図である。
【符号の説明】
Ｃ１・・・・・・・・・・・折り畳みコンテナー
Ｃ１０・・・・・・・・・・小型折り畳みコンテナー
１・・・・・・・・・・・・底部
１ｄ・・・・・・・・・・・嵌合部
１ｅ・・・・・・・・・・・凹溝
１ｇ・・・・・・・・・・・補強ブロック
【図１】
0003742545.tif 000002
【図２】
0003742545.tif 000003
【図３】
0003742545.tif 000004
【図４】
0003742545.tif 000005
【図５】
0003742545.tif 000006
【図６】
0003742545.tif 000007